(57)【要約】【課題】  本発明は、原稿の読取動作のスループットを速くするとともに前記原稿にダメージを与えたり破損させたりすることを防止して、装置サイズの小型化を可能にする原稿読取装置を提供するものである。【解決手段】  原稿搬送手段に原稿の搬送経路を示す曲線が略逆コの字型の曲線となるように前記原稿を搬送させながら、第１片面読取手段に前記原稿の一方の面を読み取らせるとともに前記第１片面読取手段と前記曲線を挟んで対向するよう設けられる第２片面読取手段に前記原稿の他方の面を読み取らせることにより、前記原稿の両面を読み取ることを特徴とするものである。【選択図】  図１
2005304064.tif 000002
【特許請求の範囲】
【請求項１】
原稿の搬送経路を示す曲線が略逆コの字型の曲線となるように前記原稿を搬送する原稿搬送手段と、
原稿の一方の面を読み取る第１片面読取手段と、
前記第１片面読取手段と前記曲線を挟んで対向するよう設けられ、前記原稿の他方の面を読み取る第２片面読取手段と、
を備え、
前記原稿搬送手段に前記曲線が略逆コの字型の曲線となるように前記原稿を搬送させながら、前記第１片面読取手段に前記原稿の一方の面を読み取らせるとともに前記第２片面読取手段に前記原稿の他方の面を読み取らせることにより、前記原稿の両面を読み取ることを特徴とする原稿読取装置。
【請求項２】
前記原稿搬送手段が、前記原稿が前記搬送経路を進むにしたがって前記原稿の搬送速度が大きくなるように前記原稿を搬送する搬送速度傾斜手段から構成されることを特徴とする請求項１記載の原稿読取装置。
【請求項３】
前記第１片面読取手段が、装置本体に対して着脱可能に設けられることを特徴とする請求項１あるいは請求項２記載の原稿読取装置。
【発明の詳細な説明】
【技術分野】
【０００１】
本発明は、原稿の両面を読み取り、スキャナ、ファクシミリ装置および複写機等に適用される原稿読取装置に関する。
【背景技術】
【０００２】
従来、原稿の両面を読み取るものには、原稿載置台に載置された多数枚の原稿を１枚ずつ分離して搬送し、前記原稿の画像面を読み取る読取手段に前記原稿の画像面を読み取らせ、前記原稿の搬送方向に対する上下面を反転する原稿反転手段に前記原稿の上下面を反転させる自動反転機能付き原稿給紙装置（以下ＡＲＤＦという）が知られている。また、２つの光学系を有し透明部材に密着した原稿の両面を同時に読み取るものが知られている（例えば、特許文献１参照）。
【特許文献１】特開平４−２３４２５８号公報
【発明の開示】
【発明が解決しようとする課題】
【０００３】
上述されたＡＲＤＦにおいては、原稿載置台に積載された多数枚の原稿は、１枚ずつ分離され画像面が読み取られる所定の読取位置まで搬送されて前記画像面が読み取られた後、上下面が反転され、再び前記読取位置まで搬送され前記画像面に対する裏面が読み取られた後、排出原稿載置台へ排出される。このため、原稿の読取動作のスループットを速くすることができないという問題があった。さらに前記原稿の搬送経路は複雑であるため、前記原稿にダメージを与えたり破損させたりする可能性が高いといった点も問題であった。また、上述された特開平４−２３４２５８号公報に記載されたものにおいて画像面を鉛直上方に向けて載置された原稿を搬送し前記原稿の両面を同時に読み取る場合、前記画像面に対する裏面を読み取る画像読取手段を原稿を給送する部分の内部に設置する必要があり、装置サイズの小型化が難しいという問題があった。
【０００４】
そこで本発明の目的は、原稿の読取動作のスループットを速くするとともに前記原稿にダメージを与えたり破損させたりすることを防止して、装置サイズの小型化を可能にすることを目的とする。
【課題を解決するための手段】
【０００５】
請求項１記載の発明は、上記の目的を達成するため、原稿の搬送経路を示す曲線が略逆コの字型の曲線となるように前記原稿を搬送する原稿搬送手段と、原稿の一方の面を読み取る第１片面読取手段と、前記第１片面読取手段と前記曲線を挟んで対向するよう設けられ、前記原稿の他方の面を読み取る第２片面読取手段と、を備え、前記原稿搬送手段に前記曲線が略逆コの字型の曲線となるように前記原稿を搬送させながら、前記第１片面読取手段に前記原稿の一方の面を読み取らせるとともに前記第２片面読取手段に前記原稿の他方の面を読み取らせることにより、前記原稿の両面を読み取ることを特徴とするものである。
【０００６】
請求項２記載の発明は、上記の目的を達成するため、請求項１記載の発明において、前記原稿搬送手段が、前記原稿が前記搬送経路を進むにしたがって前記原稿の搬送速度が大きくなるように前記原稿を搬送する搬送速度傾斜手段から構成されることを特徴とするものである。
【０００７】
請求項３記載の発明は、上記の目的を達成するため、請求項１あるいは請求項２記載の発明において、前記第１片面読取手段が、装置本体に対して着脱可能に設けられることを特徴とするものである。
【発明の効果】
【０００８】
本発明によれば、前記第１片面読取手段に前記原稿の一方の面を読み取らせるとともに、前記第１片面読取手段と前記原稿の搬送経路を示す曲線を挟んで対向するよう設けられた前記第２片面読取手段に前記原稿の他方の面を読み取らせることにより、前記原稿の両面を読み取るので、前記原稿の両面を読み取るために所定の読取位置まで前記原稿を２回搬送する必要がなくなり、前記原稿の読取動作のスループットを速くすることができるとともに前記原稿の搬送経路が複雑になることを防止することができる。このため、前記原稿にダメージを与えたり破損させたりすることを防止することができる。また、前記原稿の搬送経路を示す曲線が略逆コの字型の曲線となるように前記原稿が搬送されるので、原稿読取装置の原稿搬送方向の長さを実際の原稿の搬送経路の長さよりも小さくすることができ、前記原稿読取装置のサイズを小型化することができる。
【０００９】
また、前記原稿搬送手段が、前記原稿が前記搬送経路を進むにしたがって前記原稿の搬送速度が大きくなるように前記原稿を搬送する前記搬送速度傾斜手段から構成されるので、搬送される原稿の後端に対し前記原稿の先端が引っ張られた状態で前記原稿が搬送され、局所的な伸びを発生させることなく前記原稿を搬送することができ、縮みのない良好な画像を得ることができる。
【００１０】
また、前記第１片面読取手段が、装置本体に対して着脱可能に設けられるので、前記装置本体のメンテナンスおよびジャム処理を容易に行なうことができる。
【発明を実施するための最良の形態】
【００１１】
以下、本発明の実施例を図面に基づいて説明する。図１は、本発明に係る原稿読取装置の一実施例を示す図である。図２および図３は、一実施例の原稿読取装置の一部を示す図である。
【００１２】
まず、構成を説明する。
【００１３】
図１は、本発明に係る原稿読取装置の一実施例の概略全体構成図である。図１に示された原稿読取装置において、１は原稿読取装置であり、原稿読取装置１は、シート原稿自動給送部２と、本体スキャナ部３と、を備えている。
【００１４】
シート原稿自動給送部２は、給紙部４と、原稿の搬送経路を示す曲線が略逆コの字型の曲線となるように前記原稿を搬送する原稿搬送手段５と、原稿の一方の面を読み取る第１片面読取手段６と、原稿搬送手段５によって搬送され第１片面読取手段６および本体スキャナ部３によって両面を読み取られた原稿をスタックする排紙トレイ７と、給紙部４の構成要素である原稿トレイ８中の原稿の有無を検知する原稿センサ９と、原稿が給送されたことを検知して給紙部４並びに原稿搬送手段５の構成要素であるフィードコロ１０および分離コロ１１の駆動をオフさせる給紙センサ１２と、搬送される原稿の読み取りタイミングを検知する読取センサ１３と、搬送された原稿の排紙トレイ７への排紙を検知する排紙センサ１４と、を備えている。
【００１５】
給紙部４は、原稿トレイ８とシート状の原稿を載置させた上面を有する底板１５と、底板１５を押し上げて給紙圧を原稿に与える給紙スプリング１６と、底板１５の上面上に載置された多数枚の原稿を最上位に位置する原稿から順番に搬送するピックアップコロ１７と、から構成される。
【００１６】
原稿搬送手段５は、フィードコロ１０、分離コロ１１および搬送コロ１８〜２７から構成される。第１片面読取手段６は、等倍センサから構成され、ガイド板２８、２９から構成される搬送反転部３０に設けられている。図１に示されるように原稿の搬送経路を示す曲線に対して第１片面読取手段６と対称の位置には、読取背面板３１がばね３２を介して設けられている。ばね３２は、読取背面板３１と第１片面読取手段６の間に所定の隙間が確保されるように読取背面板３１を第１片面読取手段６に向って弾性的に押圧する。
【００１７】
本体スキャナ部３は、第１片面読取手段６と原稿の搬送経路を示す前記曲線を挟んで対向するよう設けられ前記原稿の他方の面を読み取る第２片面読取手段３３から構成され、第２片面読取手段３３は、照明３４と第１ミラー３５とから構成される第１走行体３６と、第２ミラー３７と第３ミラー３８とから構成される第２走行体３９と、レンズ４０と、光電変換手段４１と、搬送されてきた原稿を載置させた上面を有するコンタクトガラス４２と、を備えている。光電変換手段４１は、ＣＣＤ（Charge Coupled Device、電荷結合素子）から構成される。第１走行体３６および第２走行体３９は、それぞれ図示されないワイヤあるいはタイミングベルト等を介して図示されないモータによって２：１の速度で移動し、コンタクトガラス４２の上面上に載置された原稿を走査する。原稿の像は、光電変換手段４１上に結像し、電気信号に変換され、制御基板４３で画像処理が施される。
【００１８】
図１に示されるように原稿の搬送経路を示す曲線に対して第２片面読取手段３３と対称の位置には、読取背面板４４がばね４５を介して設けられている。ばね４５は、読取背面板４４と第２片面読取手段３３の間に所定の隙間が確保されるように読取背面板４４を第２片面読取手段３３に向って弾性的に押圧する。
【００１９】
図２は、一実施例の原稿読取装置の一部概略構成図である。図２に示された原稿読取装置において、５１は原稿読取装置であり、原稿読取装置５１は、シート原稿自動給送部５２と、図示されない本体スキャナ部と、を備えている。シート原稿自動給送部５２は、図１に示されたものと同様に構成される。原稿搬送手段は、原稿が搬送経路を進むにしたがって前記原稿の搬送速度が大きくなるように前記原稿を搬送する搬送速度傾斜手段５５から構成される。
【００２０】
図２に示された原稿読取装置５１において、搬送速度傾斜手段５５を構成する搬送コロ６８〜７７は、第１片面読取手段５６の原稿搬送経路上流側にあるもの６８〜７１、第１片面読取手段５６と図示されない第２片面読取手段の間に設けられたもの７２、７３および前記第２片面読取手段の原稿搬送経路下流側にあるもの７４〜７７の順に、原稿搬送経路下流側のものほど外径が少しずつ大きくなるように設けられている。
【００２１】
図３は、一実施例の原稿読取装置の一部概略構成図である。図３に示された原稿読取装置において、１０１は原稿読取装置であり、原稿読取装置１０１は、シート原稿自動給送部１０２と、図示されない本体スキャナ部と、を備えている。シート原稿自動給送部１０２は、図１に示されたものと同様に構成される。第１片面読取手段１０６が、原稿読取装置１０１本体に対して着脱可能に設けられる。
【００２２】
次に、作用を説明する。
【００２３】
図１に示された原稿読取装置１において、給紙部４によって給送された原稿は、フィードコロ１０および分離コロ１１によって１枚ずつ分離され、搬送反転部３０中を原稿搬送手段５によって図１に示されるようなほぼ逆コの字型の形状の搬送経路を描きながら搬送され、搬送中の一方の面が第１片面読取手段６によって読み取られ、本体スキャナ部３へ向けて原稿搬送手段５によって搬送されて、他方の面が第２片面読取手段３３によって読み取られた後、排紙トレイ７へ排出される。
【００２４】
原稿読取装置１においては、第１片面読取手段６が搬送反転部３０に設けられているので、原稿読取装置１本体を小型化することができ、特に長手方向においては従来の片面原稿用のスキャナと同等にすることができる。
【００２５】
図１に示されたものにおいては、原稿搬送手段５に原稿の搬送経路を示す曲線が略逆コの字型の曲線となるように前記原稿を搬送させながら、第１片面読取手段６に搬送中の前記原稿の一方の面を読み取らせるとともに、第１片面読取手段６と前記原稿の搬送経路を示す曲線を挟んで対向するよう設けられた第２片面読取手段３３に前記搬送中の前記原稿の他方の面を読み取らせることにより、前記原稿の両面を読み取るので、前記原稿の両面を読み取るために所定の読取位置まで前記原稿を２回搬送する必要がなくなり、前記原稿の読取動作のスループットを速くすることができるとともに前記原稿の搬送経路が複雑になることを防止することができる。このため、前記原稿にダメージを与えたり破損させたりすることを防止することができる。また、前記原稿の搬送経路を示す曲線が略逆コの字型の曲線となるように前記原稿を搬送するので、原稿読取装置１の原稿搬送方向の長さを実際の原稿の搬送経路の長さよりも小さくすることができ、このため原稿読取装置１のサイズを小型化することができる。
【００２６】
図２に示された原稿読取装置５１において、搬送コロ６８〜７７が原稿搬送経路下流側のものほど外径が少しずつ大きくなるように設けられるとともに、それぞれの搬送コロが所定の同じ回転数で回転させられるので、図示されない第２片面読取手段の読取線速が第１片面読取手段５６の読取線速よりも若干速くなる。このため、常に原稿搬送方向下流側に向って紙である原稿が引っ張られることになり、紙がたるむことなくぴんと張った状態で原稿を読み取ることができて、原稿に局所的な伸びが発生することなく、縮みのない良好な画像を得ることができ、良好な原稿の読み取りが可能になる。
【００２７】
図３に示された原稿読取装置１０１において、ガイド板１２８は支点Ｃを中心として回動可能に設けられている。図３に示されるような回動した状態では第１片面読取手段１０６を露出させることができるため、第１片面読取手段１０６を固定用のビス等をゆるめて容易に原稿読取装置１０１本体から取り外すことができる。このため、原稿読取装置１０１本体のメンテナンスおよびジャム処理を容易に行なうことができる。
【００２８】
この他、本発明に係る原稿読取装置の一実施例には、図１に示されたものと同様に構成されたものにおいて第２片面読取手段が装置本体に対して着脱可能に設けられたもの、図１に示されたものと同様に構成されたものにおいて第１片面読取手段および第２片面読取手段が装置本体に対して着脱可能に設けられたもの、図２に示されたものと同様に構成されたものにおいて原稿搬送手段を構成する搬送コロの外径を一定にして原稿搬送方向下流側の搬送コロほど大きな回転数で回転させられるもの、図２に示されたものと同様に構成されたものにおいて、原稿搬送手段を構成する搬送コロの外径および搬送コロに付与される回転数を適切に制御して第２片面読取手段の読取線速が第１片面読取手段の読取線速よりも速くなるようにするもの、図２に示されたものと同様に構成されたものにおいて原稿搬送手段を構成する搬送コロの外径および搬送コロに付与される回転数を適切に制御して、原稿搬送方向下流側になるほど原稿の搬送速度が大きくなるように原稿を搬送するもの、図１に示されたものと同様に構成されたものにおいて原稿搬送手段が原稿を原稿トレイから第１読取位置Ａ（図１参照）あるいは第２読取位置Ｂ（図１参照）まで搬送するもの、表面を上にして載置したシート原稿を１枚ずつ分離して給紙しながら反転しコンタクトガラス上の所定の位置へ移動させて第１読取手段により原稿の画像を読み取るシートモードと、ブック原稿などの厚手の原稿をコンタクトガラス上に載置し第１読取手段を原稿に沿って移動させながら原稿の読み取りを行うブックモードと、を選択可能に設けた原稿読取装置の前記シートモードにおいて、原稿の反対面を読み取る第２読取手段を原稿の搬送反転部分に配置したことを特徴とするもの、図１に示されたものと同様に構成されたものにおいて画像面を上にして載置したシート原稿を１枚ずつ分離して給紙しながら反転しコンタクトガラス上の所定の位置へ移動させて第１読取手段により原稿の画像を読み取るシートモードと、ブック原稿などの厚手の原稿をコンタクトガラス上に載置し第１読取手段を原稿に沿って移動させながら原稿の読み取りを行うブックモードと、を選択可能に設け、前記原稿の排出先である排紙トレイが前記ブックモードの圧板の機能を兼ねているもの、図１に示されたものと同様に構成されたものにおいて給紙部によって給紙された原稿を１枚ずつ分離する原稿搬送手段の一部がＦＲＲ（Feed&Reverse Roller）から構成されるもの、図１に示されたものと同様に構成されたものにおいて給紙部によって給紙された原稿を１枚ずつ分離する原稿搬送手段の一部がフリクションパッドから構成されるもの、図１に示されたものと同様に構成されたものにおいて照明と複数のミラーとレンズと光電変換手段とを１つのユニットとして縮小光学系を構成しコンタクトガラス上に載置された原稿を走査するもの、図１に示されたものと同様に構成されたものにおいて等倍センサにより原稿を走査するもの、原稿が搬送中に所定位置を２回通過することなく直線的に搬送され、前記原稿の一方の面が読み取られた後に前記原稿の他方の面が読み取られるもの等があり、上述されたものに限定されない。
【図面の簡単な説明】
【００２９】
【図１】本発明に係る原稿読取装置の一実施例の概略全体構成図
【図２】一実施例の原稿読取装置の一部概略構成図
【図３】一実施例の原稿読取装置の一部概略構成図
【符号の説明】
【００３０】
１      原稿読取装置
５      原稿搬送手段
６      第１片面読取手段
３３    第２片面読取手段
５１    原稿読取装置
５５    搬送速度傾斜手段
５６    第１片面読取手段
１０１  原稿読取装置
１０５  原稿搬送手段
１０６  第１片面読取手段
【図１】
2005304064.tif 000003
【図２】
2005304064.tif 000004
【図３】
2005304064.tif 000005